(57)【要約】【課題】  リフィルタイプのエンディングノートを使用するのに使いやすいエンディングノート用バインダーを提供する。【解決手段】  表表紙部２の内側にポストカード又は写真を収納し、中央に透明素材の窓部２１ａを有する第１のポケット部２１が形成され、裏表紙部１の内側にエンディングノートの記入解説書を収納する第２のポケット部１１が形成され、背表紙部４の内側にはエンディングノートのリフィルを綴じるリング５を備えるエンディングノート用バインダーである。【選択図】        図３
0003206705.tif 000002
【実用新案登録請求の範囲】
【請求項１】
リフィル形式のエンディングノートに使用するバインダーであって、
表表紙部又は裏表紙部の内側にハガキサイズのポストカード又はＬサイズの写真を挿入し、窓部を有する第１のポケット部と、
前記表表紙部又は前記裏表紙部に前記エンディングノートの記入解説書を挿入する第２のポケット部とを備えることを特徴とするエンディングノート用バインダー。
【請求項２】
第１のポケット部を表表紙部又は裏表紙部に形成した場合に、第２のポケット部を前記第１のポケット部が形成されていない裏表紙部又は表表紙部に形成したことを特徴とする請求項１記載のエンディングノート用バインダー。
【請求項３】
第１のポケット部が形成される表表紙部又は裏表紙部に、カード挿入用のカード挿入部を備えることを特徴とする請求項１又は２記載のエンディングノート用バインダー。
【請求項４】
第２のポケット部は、記入解説書を取り出し易くするよう前記記入解説書の一部が露出する取り出し口を有することを特徴とする請求項１乃至３のいずれか記載のエンディングノート用バインダー。
【請求項５】
裏表紙部と表表紙部を接続して閉じるベルト部を有することを特徴とする請求項１乃至４のいずれか記載のエンディングノート用バインダー。
【請求項６】
ベルト部には表表紙部と裏表紙部の接続をロック又は解除するロック部を有することを特徴とする請求項１乃至５のいずれか記載のエンディングノート用バインダー。
【考案の詳細な説明】
【技術分野】
【０００１】
本考案は、エンディングノート用バインダーに係り、特に、エンディングノートを使用するのに最適なエンディングノート用バインダーに関する。
【背景技術】
【０００２】
［先行技術の説明］
従来のエンディングノートには、解説を含む書籍タイプのものが多い。
また、従来、リフィルタイプのエンディングノートがあり、利用者の部分的な書き替えの要求に対してエンディングノートのリフィルを差替えることで対応している。
【０００３】
更に、エンディングノートの記入は難しく、記入のための解説書が必要になっている。
そして、従来のリフィルタイプのエンディングノートに使用するバインダーは、エンディングノート専用の特別のものではなく、使いやすい工夫がなくて、一般的なものであった。
【０００４】
［関連技術］
尚、関連する先行技術としては、特開２０１５−０７４１０１号「エンディングノート」（木村徹他）［特許文献１］、特許第４６７８６２１号「遺言ノート」（株式会社フィクス）［特許文献２］、実用新案登録第３０６９８８４号公報「自叙伝型書籍」（朴賛周）［特許文献３］、実用新案登録第３１５９４６１号公報「ノート」（有限会社アド・オフィスキャッチ）［特許文献４］、実用新案登録第３２０４４６８号「アルバム」（鈴木誠）［特許文献５］がある。
【０００５】
特許文献１には、自分の葬儀で使用して欲しい肖像画像を記録又は収納するエンディングノートが記載されている。
特許文献２には、遺言者と弁護士、公証人が直接通話できる機器ソフトを記憶するＤＶＤを備えるノートが記載されている。
【０００６】
特許文献３には、エンディングノートの記載事項を書籍タイプとしたものが記載されている。
特許文献４には、袋とじを可能とした遺言用のノートが記載されている。
特許文献５には、エンディング用のアルバムが記載されている。
【先行技術文献】
【特許文献】
【０００７】
【特許文献１】特開２０１５−０７４１０１号公報
【特許文献２】特許第４６７８６２１号公報
【特許文献３】実用新案登録第３０６９８８４号公報
【特許文献４】実用新案登録第３１５９４６１号公報
【特許文献５】実用新案登録第３２０４４６８号公報
【考案の概要】
【考案が解決しようとする課題】
【０００８】
しかしながら、上記従来のエンディングノート用バインダーでは、リフィルタイプのエンディングノートに特化して使いやすくしたものではないという問題点があった。
【０００９】
尚、特許文献１〜５には、リフィルタイプのエンディングノートを利用するための専用バインダーについては記載されていない。
【００１０】
本考案は上記実状に鑑みて為されたもので、リフィルタイプのエンディングノートを使用するのに使いやすいエンディングノート用バインダーを提供することを目的とする。
【課題を解決するための手段】
【００１１】
上記従来例の問題点を解決するための本考案は、リフィル形式のエンディングノートに使用するエンディングノート用バインダーであって、表表紙部又は裏表紙部の内側にハガキサイズのポストカード又はＬサイズの写真を挿入し、窓部を有する第１のポケット部と、表表紙部又は裏表紙部にエンディングノートの記入解説書を挿入する第２のポケット部とを備えることを特徴とする。
【００１２】
また、本考案は、上記エンディングノート用バインダーにおいて、第１のポケット部を表表紙部又は裏表紙部に形成した場合に、第２のポケット部を第１のポケット部が形成されていない裏表紙部又は表表紙部に形成したことを特徴とする。
【００１３】
また、本考案は、上記エンディングノート用バインダーにおいて、第１のポケット部が形成される表表紙部又は裏表紙部に、カード挿入用のカード挿入部を備えることを特徴とする。
【００１４】
また、本考案は、上記エンディングノート用バインダーにおいて、第２のポケット部が、記入解説書を取り出し易くするよう記入解説書の一部が露出する取り出し口を有することを特徴とする。
【００１５】
また、本考案は、上記エンディングノート用バインダーにおいて、裏表紙部と表表紙部を接続して閉じるベルト部を有することを特徴とする。
【００１６】
また、本考案は、上記エンディングノート用バインダーにおいて、ベルト部には表表紙部と裏表紙部の接続をロック又は解除するロック部を有することを特徴とする。
【考案の効果】
【００１７】
本考案によれば、リフィル形式のエンディングノートに使用するバインダーであって、表表紙部又は裏表紙部の内側に第１のポケット部が形成され、表表紙部又は裏表紙部に第２のポケット部が形成され、第１のポケット部は、窓部を有してハガキサイズのポストカード又はＬサイズの写真が挿入され、第２のポケット部は、エンディングノートの記入解説書が挿入されるエンディングノート用バインダーとしているので、リフィル形式のエンディングノートを使いやすくできる効果がある。
【図面の簡単な説明】
【００１８】
【図１】本バインダーの開いた外側図である。
【図２】本バインダーの閉じた外側図である。
【図３】本バインダーの開いた内側図である。
【考案を実施するための形態】
【００１９】
本考案の実施の形態について図面を参照しながら説明する。
［実施の形態の概要］
本考案の実施の形態に係るエンディングノート用バインダーは、表表紙部の内側にポストカード又は写真を収納する第１のポケット部と、裏表紙部の内側にエンディングノートの記入解説書を収納する第２のポケット部とを有するものとしているので、思い出の写真を第１のポケット部に収納し、解説書を第２のポケット部に収納でき、リフィルタイプのエンディングノートを使いやすくできるものである。
【００２０】
［本バインダー：図１〜３］
本考案の実施の形態に係るエンディングノート用バインダー（本バインダー）について図１〜３を参照しながら説明する。図１は、本バインダーの開いた外側図であり、図２は、本バインダーの閉じた外側図であり、図３は、本バインダーの開いた内側図である。
本バインダーは、図１〜３に示すように、裏表紙部１と、表表紙部２と、ベルト部３とから基本的に構成されている。
【００２１】
そして、裏表紙部１の一方の長辺が表表紙部１の長辺に接続し、裏表紙部１の他方の長辺にはベルト部３が形成されている。
図３に示すように、裏表紙部１と表表紙部２の接続部分の内側にはリング５を備えて背表紙部４が形成されている。
【００２２】
リング５は、エンディングノートのリフィルを綴じるためのものである。
リング５は、図３では６穴バインダーとなっているが、エンディングノートが５穴であれば、５穴バインダーとしてもよい。
【００２３】
また、表表紙部２の外側には、図１に示すように、ベルト部３を固定するボタン２ａが設けられ、ベルト部３の内側に、図３に示すように、ボタン２ａに対応するボタン３ａが形成され、両者が接続することで、ベルト部３が表表紙部１に固定される。
ボタン２ａとボタン３ａをスナップボタンとしてもよいが、マグネットを利用したマグネットボタンであってもよい。
【００２４】
［本バインダーの内側構成：図３］
本バインダーの内側は、表表紙部１の内側の下側にハガキサイズのポストカード又はＬサイズの写真（フォトカード）を挿入して収納する第１のポケット部２１が形成されている。
更に、表表紙部１の内側の上側にはカードを挿入して収納するカード挿入部２２ａ，２２ｂが形成されている。
第１のポケット部２１を表表紙部１の内側の上側に設け、カード挿入部２２ａ，２２ｂを表表紙部１の内側の下側に設けるようにしてもよい。
【００２５】
第１のポケット部２１は、矢印で示すように、上側（カード挿入部２２ａ，２２ｂ側）から写真等を挿入できる構成となっている。つまり、第１のポケット部２１は、上側が開口しており、それ以外の三辺は閉じられて固定されている。
また、第１のポケット部２１には、写真等を見るために、中央部にＬサイズの写真より若干小さい透明素材（透明部材）の窓部２１ａが設けられている。
【００２６】
また、２つのカード挿入部２２ａ，２２ｂは、矢印で示すように、上側からカードを挿入するようになっている。カードとしては、金融機関のカードや、所属するクラブのメンバーズカード、診察券等が想定される。
【００２７】
更に、本バインダーの裏表紙部１の内側に、エンディングノートを記入するための解説書（記入解説書）を挿入して収納する第２のポケット部１１が形成されている。
第２のポケット部１１は、ベルト部３側に開口部があり、矢印で示すように、その方向から記入解説書が挿入されるようになっている。
【００２８】
また、第２のポケット部１１では、記入解説書を取り出し易くするように、記入解説書の一部が露出する取り出し口を有している。具体的には、開口部の中央部分が背表紙部５方向に切り取られて凹形状の取り出し口を形成している。
【００２９】
また、ベルト部３の内側で裏表紙部１の長辺の一部に筒状のペンホルダー１２が形成されている。ペンホルダー１２は、ベルト部３が閉じられた状態であってもペンを保持できるようになっている。つまり、ベルト部３は、ペンを保持したまま余裕をもって閉じられるようになっている。
【００３０】
また、図では、ベルト部３をボタン２ａと３ａで固定するようにしているが、この固定部分をロックと解除が可能なロック機構（ロック部）にしてもよい。ロック部としては、鍵を取り付ける構成や、ダイヤル式でロックと解除を行うものが考えられる。
【００３１】
［実施の形態の効果］
本バインダーによれば、エンディングノート用として、思い出の写真又はお気に入りの写真を収納する第１のポケット部２１を表表紙部２の内側に形成し、記入解説書を収納する第２のポケット部１１を裏表紙部１の内側に形成しているので、リフィルタイプのエンディングノートを楽しく、記入解説書を直ぐに参照できるため、使いやすくできる効果がある。
【００３２】
また、本バインダーによれば、例えば、状況及び心情の変化により、エンディングノートの一部を書き替える必要がある場合に、リング５を開いてエンディングノートのリフィルを取り替えることができ、更に、リフィルを追加することで、様々な項目を任意に追加できる効果がある。
【産業上の利用可能性】
【００３３】
本考案は、リフィルタイプのエンディングノートを使いやすくするエンディングノート用バインダーに適している。
【符号の説明】
【００３４】
１...裏表紙部、  ２...表表紙部、  ２ａ...ボタン、  ３...ベルト部、  ３ａ...ボタン、  ４...背表紙部、  ５...リング、  １１...第２のポケット部、  １２...ペンホルダー、  ２１...第１のポケット部、  ２１ａ...窓部、  ２２ａ，２２ｂ...カード挿入部
【図１】
0003206705.tif 000003
【図２】
0003206705.tif 000004
【図３】
0003206705.tif 000005